(57)【要約】【課題】高いサポート性を得て、歩行動作がスムーズになり、足部の快適性を維持し、長時間立ち続けても疲労感が小さく、インソールの使用寿命を延ばして製造コストを減らすインソールを提供する。【解決手段】インソール１は、鉤状パッド１０を備える。鉤状パッド１０は、上層部１０１及び下層部１０２を有し、上層部１０１と下層部１０２とが接合されて気体を含む密閉空間が画定され、鉤状パッド１０内で気体が流動する。鉤状パッド１０は、底部１０３、長端部１０５及び短端部１０４を含む。底部１０３は、長端部１０５及び短端部１０４にそれぞれ接続される。底部１０３は足部の踵に対応する。長端部１０５は足部の内側縦足弓に対応する。短端部１０４は足部の外側縦足弓に対応する。インソール１は、鉤状パッド１０内に設けたライニング１１をさらに備える。ライニング１１は記憶発泡体である。【選択図】図１
0003210336.tif 000002
【実用新案登録請求の範囲】
【請求項１】
鉤状パッドを備えたインソールであって、
前記鉤状パッドは、上層部及び下層部を有し、前記上層部と前記下層部とが接合されて気体を含む密閉空間が画定され、前記鉤状パッド内で気体が流動し、
前記鉤状パッドは、底部、長端部及び短端部を含み、
前記底部は、前記長端部及び前記短端部にそれぞれ接続され、
前記底部は足部の踵に対応し、
前記長端部は足部の内側縦足弓に対応し、
前記短端部は足部の外側縦足弓に対応することを特徴とするインソール。
【請求項２】
前記鉤状パッド内に設けたライニングをさらに備えることを特徴とする請求項１に記載のインソール。
【請求項３】
前記ライニングは記憶発泡体であることを特徴とする請求項２に記載のインソール。
【請求項４】
前記鉤状パッドの凹部に設けられて前記下層部に接合されるとともに、前記底部、前記短端部及び前記長端部に接続された滑り止めプレートをさらに備えることを特徴とする請求項１に記載のインソール。
【請求項５】
前記滑り止めプレートは、前記短端部の頂部から前記長端部の中間部へ延びることを特徴とする請求項４に記載のインソール。
【請求項６】
前記滑り止めプレートは前記下層部と一体成形されることを特徴とする請求項４に記載のインソール。
【請求項７】
前記長端部は三日月状であることを特徴とする請求項１に記載のインソール。
【請求項８】
前記長端部と一体成形された横足弓パッドをさらに備えることを特徴とする請求項１〜７の何れか１項に記載のインソール。
【請求項９】
前記横足弓パッドは、水滴状であることを特徴とする請求項８に記載のインソール。
【請求項１０】
前記横足弓パッドまで延びたライニングをさらに備えることを特徴とする請求項８に記載のインソール。
【考案の詳細な説明】
【技術分野】
【０００１】
本考案は、インソールに関し、特に、サポート性が高く、使用者が長時間立ち続けても負担が小さく、使用者の歩行をアシストし、足が接地するときの衝撃を吸収して実用性に優れたインソールに関する。
【背景技術】
【０００２】
足部は体重及び全ての負荷を受けるため、歩いたり走ったりして足部が接地したときの踏み込む力と衝撃力とが足部に作用し、足部に疲労感及び不快感が生じることがある。近年、足部の健康に対する意識が人々の間に高まっており、靴底にインソールを敷いて足部を保護するとともに、インソールの材質の軽量化、快適性、サポート性などが次々に向上してきている。
【０００３】
また、従来のインソールは、インソール内に配設された空気袋により踵が受ける衝撃力を吸収していたが、足が接地したときに足部の各部位にかかる圧力がそれぞれ異なるため、従来技術では、靴底の踵に対応した箇所にインソールを敷くだけでは、足部の不快感を低減させることができなかった。
【０００４】
言い換えると、人の姿勢及び重心がそれぞれ異なる上、足裏の形状も人により異なるため、運動又は歩行を行うときに、保護が必要な足部の部位及び衝撃吸収性能が異なり、従来、空気袋を含むインソールでは、足部のニーズを満たすことはできなかった。
【０００５】
また従来、空気袋を含むインソールは、全ての足に対して設計されていたため、歩くときの足部の動作により全ての足のインソールが内側に折り曲げられて使用寿命が短くなってしまう虞がある上、全ての足のインソールの面積も大き目であるため、それに必要なコストが高くなりやすかった。
【０００６】
上述したような従来技術の問題点に鑑み、歩行時の足部動作により空気袋中の気体を流動させて高いサポート性を得て、歩行動作をスムーズにし、足部の快適性を維持し、長時間立ち続けても疲労感が小さく、インソールの使用寿命を延ばして製造コストを減らすなどの効果が得られるインソールが求められていた。
【考案の概要】
【考案が解決しようとする課題】
【０００７】
本考案の主な目的は、足部の動きに合わせて空気袋中の気体を流動させて高いサポート性を得て、歩行動作をスムーズにし、足部の快適性を維持し、長時間立ち続けても疲労感が小さく、インソールの使用寿命を延ばして製造コストを減らすなどの効果が得られるインソールを提供することにある。
【課題を解決するための手段】
【０００８】
上記課題を解決するために、本考案の第１の形態によれば、鉤状パッドを備えたインソールであって、前記鉤状パッドは、上層部及び下層部を有し、前記上層部と前記下層部とが接合されて気体を含む密閉空間が画定され、前記鉤状パッド内で気体が流動し、前記鉤状パッドは、底部、長端部及び短端部を含み、前記底部は、前記長端部及び前記短端部にそれぞれ接続され、前記底部は足部の踵に対応し、前記長端部は足部の内側縦足弓に対応し、前記短端部は足部の外側縦足弓に対応することを特徴とするインソールが提供される。
【０００９】
前記鉤状パッド内に設けたライニングをさらに備えることが好ましい。
【００１０】
前記ライニングは記憶発泡体であることが好ましい。
【００１１】
前記鉤状パッドの凹部に設けられて前記下層部に接合されるとともに、前記底部、前記短端部及び前記長端部に接続された滑り止めプレートをさらに備えることが好ましい。
【００１２】
前記滑り止めプレートは、前記短端部の頂部から前記長端部の中間部へ延びることが好ましい。
【００１３】
前記滑り止めプレートは、前記下層部と一体成形されることが好ましい。
【００１４】
前記長端部は三日月状であることが好ましい。
【００１５】
前記長端部と一体成形された横足弓パッドをさらに備えることが好ましい。
【００１６】
前記横足弓パッドは水滴状であることが好ましい。
【００１７】
前記横足弓パッドまで延びたライニングをさらに備えることが好ましい。
【考案の効果】
【００１８】
本考案のインソールは、その特殊構造により、高いサポート性を得て、歩行動作をスムーズにし、足部の快適性を維持し、長時間立ち続けても疲労感が小さく、インソールの使用寿命を延ばして製造コストを減らすなどの効果を有する。
【図面の簡単な説明】
【００１９】
【図１】図１は、本考案の一実施形態に係るインソールを示す説明図である。
【図２】図２は、本考案の一実施形態に係るインソールの足部に対応した状態を示す説明図である。
【図３】図３は、本考案の一実施形態に係るインソールを示す説明図である。
【図４】図４は、本考案の一実施形態に係るインソールの使用状態（踵が接地したときの状態）の説明図である。
【図５】図５は、本考案の一実施形態に係るインソールの使用状態（踵が地面から離れたときの状態）の説明図である。
【考案を実施するための形態】
【００２０】
以下、本考案を実施形態に基づいて、より具体的に説明する。但し、本考案はこれらの実施形態に何ら限定されるものではない。
【００２１】
まず、図１を参照する。図１は、本考案の一実施形態に係るインソールを示す説明図である。図１に示すように、本考案の一実施形態に係るインソール１は、鉤状パッド１０を備えるとともに、必要に応じてライニング１１と、滑り止めプレート２０とをさらに備える。
【００２２】
鉤状パッド１０は、上層部１０１及び下層部１０２を含む。上層部１０１と下層部１０２とを接合し、気体を含む密閉空間が画定される。鉤状パッド１０内では気体が流動する。密閉空間と気体とは、空気袋に似た効果を有する。
【００２３】
続いて、図１と併せて図２を参照する。図２は、本考案の一実施形態に係るインソールの足部に対応した状態を示す説明図である。図１及び図２に示すように、鉤状パッド１０は、３個の部分に分けられる。３個の部分は、足部２の部位にそれぞれ対応する。詳細には、３個の部分は、底部１０３、長端部１０５及び短端部１０４を含む。底部１０３は、長端部１０５及び短端部１０４にそれぞれ接続される。底部１０３は、足部２の踵に対応する。長端部１０５は、足部２の内側縦足弓に対応する。短端部１０４は、足部２の外側縦足弓に対応する。本実施形態の長端部は、三日月状である上、内側縦足弓に接触し、足が接地するときに踵に加わる力が外側縦足弓に加わる力より大きいため、底部１０３の厚さが短端部１０４の厚さより大きい。
【００２４】
図１を参照する。図１に示すように、本考案の一実施形態に係るインソールの鉤状パッド１０内には、ライニング１１が含まれる。詳細には、ライニング１１は、上層部１０１と下層部１０２とにより形成された夾層中に含まれ、ライニング１１の形状及びサイズは上層部１０１と略同じである。ライニング１１の材料は、足が接地したときに発生する作用力を低減させる形状記憶発泡体でもよい。形状記憶発泡体は多孔性構造であるため、鉤状パッド１０の内部（密閉空間）で気体が流動して衝撃を吸収することができる。
【００２５】
また、本実施形態のインソール１は、滑り止めプレート２０をさらに備える。滑り止めプレート２０は、底部１０３、長端部１０５及び短端部１０４が摺動して位置がずれることを防ぐために用いられる。本実施形態のインソール１を使用する際、底部１０３、長端部１０５及び短端部１０４は、足部の特定部位にそれぞれ対応する（例えば、底部１０３は踵に対応し、長端部１０５は内側縦足弓に対応し、短端部１０４は外側縦足弓に対応する）。図１に示すように、滑り止めプレート２０は、鉤状パッド１０の凹部に設けられるとともに下層部１０２に接合され、底部１０３、短端部１０４及び長端部１０５に接続される。詳細に述べると、本実施形態の滑り止めプレート２０は、短端部１０４の頂部から長端部１０５の中間部へ延び、鉤状パッド１０の凹部全体が充満されるため、底部１０３、長端部１０５及び短端部１０４が摺動して位置がずれることを防ぐことができる。また、滑り止めプレート２０は、製造が容易なように上層部１０１と一体成形されてもよい。
【００２６】
図３を参照する。図３は、本考案の一実施形態に係るインソール１を示す説明図である。図３は、図１と異なり横足弓パッド３０を含む（図３と図１との同じ部分については便宜上、説明を省略する）。図３に示すように、横足弓パッド３０は水滴状であるが、これだけに限定されるわけではない。横足弓パッド３０は、長端部１０５と一体成形される。詳細に述べると、横足弓パッド３０は、長端部１０５から延びたものと見なすことができる。本実施形態のライニング１１は、横足弓パッド３０内へ延ばされてもよい。この構成により、足部２の横足弓のサポート性が高く、歩行動作をスムーズにし、足部の快適性を維持し、長時間立ち続けても疲労感が小さい。
【００２７】
また、図２、図４及び図５を参照する。図４は、本考案の一実施形態に係るインソールの使用状態（踵が接地したときの状態）の説明図である。図５は、本考案の一実施形態に係るインソールの使用状態（踵が地面から離れたときの状態）の説明図である。まず、図２に示すように、本実施形態のインソール１を靴３の靴底に敷いて使用する際、インソール１の底部１０３は踵に対応し、長端部１０５は内側縦足弓に対応し、短端部１０４は外側縦足弓に対応する。続いて、図４に示すように、使用者の踵の部分が接地しているとき（例えば立った状態のとき）、足部２の押点が踵に集中し、底部１０３内の気体が踵に加わる作用力を受けて長端部１０５及び短端部１０４へ流動すると、底部１０３が略扁平状になって長端部１０５と短端部１０４とに充満され、内側縦足弓及び外側縦足弓をサポートし、長端部１０５が充満状態となるため、歩行動作がスムーズとなる。
【００２８】
最終的に、図５に示すように、使用者の踵が地面に接地してから離れるとき（例えば、歩いて前進するとき）、足部２の押点が踵から前足部を通って足指へ移動する。足部２の押点が前足部へ移動すると、長端部１０５内の気体が前足部に加わる作用力を受け、底部１０３及び短端部１０４へ気体が還流し、長端部１０５の前端が略扁平状態となり、底部１０３及び短端部１０４が充満される。足部２の押点が足指へ移動すると、底部１０３及び短端部１０４に位置する気体が長端部１０５の前端へ還流し、底部１０３、短端部１０４及び長端部１０５内の気体が元の状態（未使用状態）へ戻る。このように底部１０３、短端部１０４及び長端部１０５により形成された密閉空間内で気体が流動するため、歩行するときに足部２の特定部位をそれぞれサポートすることができる。
【００２９】
また、本考案の図３のインソールを使用すると同様の効果を得ることができる。実際に使用者が歩くとき、底部１０３、短端部１０４、長端部１０５及び横足弓パッド３０により形成された密閉空間内で気体が流動するため、歩行の各ステップにおいて足部２の特定部位（例えば、踵、内側縦足弓及び横足弓）がサポートされる。
【００３０】
本考案のインソールは、その特殊構造により、高いサポート性を得て、歩行動作がスムーズになり、足部の快適性を維持し、長時間立ち続けても疲労感が小さく、インソールの使用寿命を延ばして製造コストを減らすなどの効果が得られる長所を有する。
【００３１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３２】
１      インソール
２      足部
３      靴
１０      鉤状パッド
１１      ライニング
２０      滑り止めプレート
３０      横足弓パッド
１０１      上層部
１０２      下層部
１０３      底部
１０４      短端部
１０５      長端部
【図１】
0003210336.tif 000003
【図２】
0003210336.tif 000004
【図３】
0003210336.tif 000005
【図４】
0003210336.tif 000006
【図５】
0003210336.tif 000007